(57)【要約】      （修正有）【課題】インテリジェント型ダイナミックマーケティングデータ収集と広告伝送メカニズムを提供する。【解決手段】マーケティングデータを収集、分析した後、ユーザーに適合する広告、或いは、その他のマーケティング素材を、異なるユーザーに伝送する。データの更新、広告の伝送方式は、連続的、自動的、周期的である。ユーザーのデータは、IPアドレス、使用者の歴史、投票歴史、観察歴史、プログラムスケジューリング歴史、分類歴史、購買歴史、現在のウェブ、ブラウザ歴史、現行プログラムの識別、ユーザーの個人データ等である。例えば、ユーザーのIPアドレスは、ユーザーの所在地を示すので、地域性広告だけを、IPアドレスに基づいて、ユーザーに伝送する。よって、ユーザーに適合する広告だけを、ユーザーに伝送するので、ユーザーが、供給される商品を購入する機会が増加する。【選択図】図２
2006313520.tif 000002
【特許請求の範囲】
【請求項１】
インテリジェント型ダイナミックマーケティングデータ収集と広告伝送メカニズムであって、
少なくとも一つのユーザーのデータを収集する工程と、
前記ユーザーのデータを分析して、前記ユーザーに適合する少なくとも一つの広告を決定する工程と、
前記広告を、前記ユーザーに伝送する工程と、
からなることを特徴とするインテリジェント型ダイナミックマーケティングデータ収集と広告伝送メカニズム。
【請求項２】
前記ユーザーのデータは、IPアドレスを含むことを特徴とする請求項１に記載のインテリジェント型ダイナミックマーケティングデータ収集と広告伝送メカニズム。
【請求項３】
前記IPアドレスは、IP範囲ないに落ち、前記ユーザーが使用するIP範囲は、前記広告の伝送目標となることを特徴とする請求項２に記載のインテリジェント型ダイナミックマーケティングデータ収集と広告伝送メカニズム。
【請求項４】
前記ユーザーのデータは、ユーザーの説明データを含み、それは、ユーザー歴史、投票歴史、観察歴史、スケジューリング歴史、分類歴史、購買歴史、現在のウェブ、ブラウザ歴史、現行プログラムの識別、個人データ、IPアドレス、或いは、上述の任意の結合からなることを特徴とする請求項１に記載のインテリジェント型ダイナミックマーケティングデータ収集と広告伝送メカニズム。
【請求項５】
前記個人データは、性別、年齢、住所、仕事役職、嗜好、趣味、及び、姓名、或いは、上述の組み合わせを含むことを特徴とする請求項４に記載のインテリジェント型ダイナミックマーケティングデータ収集と広告伝送メカニズム。
【請求項６】
前記ユーザーに適合する少なくとも一つの広告は、データベース中に保存されることを特徴とする請求項１に記載のインテリジェント型ダイナミックマーケティングデータ収集と広告伝送メカニズム。
【請求項７】
前記広告は、動的、自動的、周期的に更新されることを特徴とする請求項１に記載のインテリジェント型ダイナミックマーケティングデータ収集と広告伝送メカニズム。
【請求項８】
前記ユーザー方式は、動的、自動的、周期的に収集されることを特徴とする請求項１に記載のインテリジェント型ダイナミックマーケティングデータ収集と広告伝送メカニズム。
【請求項９】
インテリジェント型ダイナミックマーケティングデータ収集と広告伝送メカニズムであって、
ユーザーのIPアドレスを獲得する工程と、
前記ユーザーのIPアドレスを分析して、前記ユーザーのIPアドレスが位置するIP範囲を決定工程と、
適合する前記IP範囲に従って、前記ユーザーの少なくとも一つの広告を伝送する工程と、
からなることを特徴とする請求項１に記載のインテリジェント型ダイナミックマーケティングデータ収集と広告伝送メカニズム。
【請求項１０】
更に、ユーザー歴史、投票歴史、観察歴史、スケジューリング歴史、分類歴史、購買歴史、現在のウェブ、ブラウザ歴史、現行プログラムの識別、個人データ、IPアドレス、或いは、上述の任意の結合からなるユーザーの説明データを含む前記ユーザーのデータを収集する工程と、
収集した前記データを分析する工程と、
前記データに従って、適合する広告を前記ユーザーに伝送する工程と、
からなることを特徴とする請求項９に記載のインテリジェント型ダイナミックマーケティングデータ収集と広告伝送メカニズム。
【発明の詳細な説明】
【技術分野】
【０００１】
本発明は、データ収集メカニズムに関するものであって、特に、マーケティングリサーチャー（marketers）が、精確に、適合するユーザーを伝送の目標とし、収集したユーザーデータを利用して、広告を適合するユーザーに伝送するインテリジェント型ダイナミックマーケティングデータ収集と広告伝送メカニズムに関するものである。
【背景技術】
【０００２】
公知のマーケティング方式は、主に、活字媒体(print media)、或いは、テレビ広告の方式がある。活字媒体のマーケティング方式は、全部、或いは、一部の商品のマーケティング広告からなる。テレビ広告マーケティングは、異なる時間長さの商業広告からなる。
【０００３】
雑誌などの活字媒体のユーザーの興味は、特定のテーマ上にあり、各種読者にとって、平面広告は、効率のよいものではない。例えば、コンピュータ雑誌の内容の重点は、コンピュータ上にあるが、コンピュータ雑誌の内容は、ハード、ソフト、アプリケーションシステム、インターネット、或いは、人間工学(ergonomics）等、幅広く記載されていて、読者は、これらのコンピュータ雑誌内に掲載された広告に興味を示さない。この他、異なる群の読者の更に詳細なデータを統計すると、広告は、適合しない読者群中に発送されず、適合する読者群に、適合する広告群を発送することが出来る。
【０００４】
読者は、活字媒体内でだけ、媒体内に掲載された内容を目にするので、単一の広告にしか接触できず、読者の注意を引く機会は限られる。
【０００５】
テレビ商業広告は、通常、プログラムの合間に放送され、商業広告の時間の長さは、需要や経費によって決定されるが、商業広告は、プログラムの合間に放送されるので、多くの視聴者は、これらの広告を見逃すかもしれない。
【０００６】
上述のように、公知の広告は、ユーザーの特性に対し効果的に、適合するユーザー広告を伝達しておらず、公知の広告は、実際上、効率的とは言えない。また、公知の広告も、ユーザーの興味を引いておらず、成功する機会は少ない。
【０００７】
よって、本発明は、インテリジェント型ダイナミックマーケティングデータ収集と広告伝送メカニズムを提供し、マーケティングリサーチャーは、マーケティングデータ収集に基づいて、目標の潜在クライアントを確定し、適当な広告を、適当なユーザーに提供する。
【発明の開示】
【発明が解決しようとする課題】
【０００８】
本発明は、インテリジェント型ダイナミックマーケティングデータ収集と広告伝送メカニズムを提供し、インテリジェント、且つ、ダイナミックに、ユーザーのマーケティングデータを収集すると共に、精確、且つ、効果的に、潜在するユーザーに、適合する広告を提供することを目的とする。
【課題を解決するための手段】
【０００９】
本発明のインテリジェント型ダイナミックマーケティングデータ収集と広告伝送メカニズムは、ユーザーとのインタラクティブ性、ユーザーの興味と嗜好を利用し、この他、ユーザーの歴史と個人データを、マーケティングデータとし、更に、ユーザーの所在地は、相関データを提供することが出来る。
【００１０】
収集したデータを利用し、マーケティングリサーチャーは、精確に、各ユーザーを、異なる基準によって区分する。例えば、ユーザーのIPアドレスは、ユーザーの所在地であり、ユーザーが、アメリカのカリフォルニア州にいる場合、カリフォルニア州の地域性広告だけを、ユーザーに伝送する。
【００１１】
更に、本発明のメカニズムは、データにアクセスすることや、データの収集、分析ができ、広告データは、インテリジェンス、且つ、ダイナミックに伝送、或いは、更新が可能である。
【００１２】
本発明は、インテリジェンスインタラクティブのマルチメディアシステムに応用し、異なる作業区画により、幅広いマルチメディア内容とサービスを、複数のユーザーに提供する。例えば、ユーザーは、インターネット、衛星テレビ、有線テレビ、セットトップボックスを装備するテレビ(television equipped with set top boxes)、 テレコムネットワーク(telecom network)、ワイヤレス(wireless)、携帯電話(cellular
phone)、ローカルネットワーク、或いは、その他の電子設備形式に関連する接続方式を利用することが出来る。
【００１３】
本発明は、ユーザーが、マルチメディア内容を楽しめるようにするだけでなく、マルチメディア内容とインタラクティブであり、これにより、ユーザーの楽しみと満足度を増加させると共に、ユーザーが参加する頻度と使用時間を増加させる。
【００１４】
複数のビデオ、及び、オーディオ信号は、即時、或いは、即時に近い形で、ストリーミングされてなり、よって、単一のディスプレイ、或いは、ウィンドウは、ユーザーが、マルチメディア信号と容易にインタラクティブ性を生成することができるようにする。例えば、内容提供者、或いは、製造者は、このインタラクティブ式マルチメディア区画を運用して、広告を発布することが出来、内容製造者がマルチメディア内容を提供する時、ユーザーは、マルチメディア内容とインタラクティブ性を生成し、即時に、その他の使用者と相互作用する。
【００１５】
特殊内容、或いは、テーマ（themes）を有するチャンネル、例えば、映画、教育、会議、討論会、及び、音楽会等は、ユーザーに提供することが出来る。チャンネルは、テーマ、或いは、興味のある領域により整理する。ユーザー、或いは、団体ユーザーは、インタラクティブマルチメディア会議に参加して、文字メッセージ、即時、或いは、それに近い形で、ビデオ、オーディオ信号により、コミュニケーションすることが出来る。更に、多くの相互作用方式があり、例えば、アプリケーションプログラムの共有、同時ブラウザネットワーク、ファイルの発送と共有、選挙投票、会議記録、ホワイトボードの共有(shared whiteboard)、及び、チャットルームなどである。
【発明の効果】
【００１６】
本発明のインテリジェント型ダイナミックマーケティングデータ収集と広告伝送メカニズムは、精確、且つ、効果的に、収集したマーケティングデータにより、適合するユーザーに広告を発送する。マーケティングデータを収集、分析後、ユーザーに適合する広告、或いは、その他のマーケティング素材(other marketing materials)は、個別に各ユーザーに伝送される。このマーケティングデータの収集と広告の伝送は連続的、自動的、定期的に更新と発送が可能である。本発明のメカニズムは、多くのデータを収集、分析する能力を有する。例えば、IPアドレス、使用者の歴史、投票歴史、観察歴史、プログラムスケジューリング歴史、購買歴史、ウェブブラウザ歴史、現行プログラムの識別(current
program identification)、ユーザーの個人データ等である。ユーザーのIPアドレスは、ユーザーの所在地を表示するので、地域性の広告も、容易にユーザーに伝送することができ、よって、適当な広告をユーザーに伝送して、効率を増加させる。
【発明を実施するための最良の形態】
【００１７】
本発明のインテリジェント型ダイナミックマーケティングデータ収集と広告伝送メカニズムは、収集したマーケティングデータを分析し、精確、且つ、効果的に、各ユーザーに適合する広告、或いは、その他のマーケティング素材を、各ユーザーに送ることが出来る。コンピュータのネットワーク功能が大量に利用された後、各種データの収集と分析は、相当に速く、動的に完成される。マーケティングデータは、連続的に更新、或いは、手配され、例えば、マーケティングデータと広告伝送は、周期的に再生されるか、プログラム変更時に実施される。この他、ユーザーがマルチメディアシステムにログオンする時、本発明のデータ収集メカニズムは、各サービスと伝送を実行する。
【００１８】
本発明は、各種異なるデータを、収集し、充分に分析する能力を有する。例えば、これらのデータは、IPアドレス、使用者の歴史、投票歴史、観察歴史、プログラムスケジューリング歴史、分類歴史、購買歴史、現在のウェブ、ブラウザ歴史、現行プログラムの識別、ユーザーの個人データ等である。
【００１９】
IPアドレスは、他にない番号で、ドットにより４つの部分からなり、例えば、203.69.68.101である。各コンピュータがインターネットに接続するには、皆、このIPアドレスを有し、IPアドレスを調べれば、このユーザーとその所在地が識別できる。
【００２０】
一部のIPアドレスは、使用者の所在国家、或いは、所在地の地域を指出することができる。これらの位置の指示により、特定の区域だけで、広告をこの特定の区域のユーザーに伝送することが出来る。この他、IPアドレスは、IP範囲内に設けることが出来、IPアドレスがIP範囲内に設定される場合、広告を受信することが出来る。
【００２１】
ユーザーが投票に参加する時、ユーザーの投票の歴史が記録される。例えば、ユーザーが集計投票で、ある嗜好に投票すると、その投票結果は、ユーザーが受信する広告に影響する。例えば、ユーザーが選択した嗜好がバスケットボールである場合、ユーザーは、バスケットボールTシャツの広告を受信することになる。ユーザーが受信する広告は、選択する特別な嗜好によって異なる。
【００２２】
ユーザーの観察歴史も記録されて分析される。例えば、ユーザーが音楽会を度々鑑賞する場合、音楽のダウンロードやCDに関する広告が表示される。同様に、ユーザーのスケジューリング歴史も記録されて分析される。
【００２３】
プログラムの進行中、或いは、終了後、ユーザーはマルチメディア内容に対し分類し、ユーザーがマルチメディア内容に対し分類した歴史は、記録、及び、分析される。この他、ユーザーの現行のプログラム、或いは、チャンネルも、確認（identified）、及び、分析される。
【００２４】
ユーザーは、プログラム中の商品を買うことが出来る。ユーザーが購買した商品の歴史は、記録、収集されて、分析される。
【００２５】
更に、ユーザーがこのマルチメディアサービスに同意する時、性別、年齢、住所、仕事役職、嗜好、姓名等を提供する必要がある。これらの全部のデータ、或いは、一部のデータを収集、分析することにより、インテリジェント型ダイナミックマーケティング素材は、広告を適合するユーザーに伝送し、不適合者には伝送しない。
【実施例１】
【００２６】
図１は、本発明のインテリジェント型ダイナミックマーケティングデータ収集と広告伝送メカニズムの実施例によるフローチャートである。
【００２７】
図１を参照すると、本発明のインテリジェント型ダイナミックマーケティングデータ収集と広告伝送メカニズム１００は、以下の工程からなる。
【００２８】
まず、工程１１０と１２０で、メカニズム１００は作業を開始すると共に、ユーザーのIPアドレスを得る。続いて、工程１３０と１４０で、ユーザーのIPアドレスを分析すると共に、ユーザーのIPアドレスが落入したIP範囲を決定する。その後、工程１５０で、IP範囲に従って、ユーザーに適合する広告を決定し、これらの決定はデータベース中に保存される。
【００２９】
適当な広告を決定した後、更に、工程１６０において、これらの広告をユーザーに伝送する。続いて、工程１７０で、広告を連続更新する場合、工程１５０に戻る。これらの広告がもう手配されている場合、工程１８０に進む。このシステムメカニズムは、次の広告のスケジュール更新まで持続し、その後、公定１５０に戻る。
【実施例２】
【００３０】
図２は、本発明のインテリジェント型ダイナミックマーケティングデータ収集と広告伝送メカニズムのもう一つの実施例によるフローチャートである。
【００３１】
図２で示される実施例は、図１の実施例と類似しているが、図２中のメカニズム２００の保護する範囲は、図１より広い。
【００３２】
図２を参照すると、本発明のインテリジェント型ダイナミックマーケティングデータ収集と広告伝送メカニズム２００（以下、メカニズム２００とする）は、メカニズム２００から作業が始まり、工程２２０において、ユーザーの相関データを収集する。ユーザーのデータは、ユーザーの説明データを含み、それは、ユーザー歴史、投票歴史、観察歴史、スケジューリング歴史、分類歴史、購買歴史、現在のウェブ、ブラウザ歴史、現行プログラムの識別、個人データ、IPアドレス、或いは、上述の任意の結合からなる。ユーザーの個人データは、性別、年齢、住所、仕事役職、嗜好、趣味、及び、姓名等を含む。
【００３３】
続いて、工程２３０、２４０で、ユーザーのデータを分析すると共に、ユーザーのデータに基づいて、ユーザーに適合する広告を決定する。その後、工程２５０に進み、適合する広告をユーザーに伝送する。続いて、工程２６０で、広告が連続して更新される場合、工程２４０に戻る。広告が、更新に、一定時間、或いは、所定時間必要である場合、このシステムメカニズムは、工程２７０で示されるように、準備完了まで待機し、工程２４０に戻って、工程を継続する。
【００３４】
図３は、本発明のインテリジェント型ダイナミックマーケティングデータ収集と広告伝送メカニズムを、インタラクティブマルチメディアインターフェースに応用したことを示した説明図である。
【００３５】
図３を参照すると、インタラクティブマルチメディアインターフェース３００は、マルチメディアウィンドウ３１０、コマンドバー３２０、情報ウィンドウ３３０、チャット領域３４０、及び、広告ウィンドウ３５０からなる。
【００３６】
図３は、野球を紹介するチャンネルに応用する例を示す。マルチメディアウィンドウ３１０は、生放送、或いは、収録放送の方式で、野球の試合を放映する。この他、マルチメディアウィンドウ３１０は、全スクリーンに拡大して、最大範囲を呈現する。
【００３７】
情報ウィンドウ３３０は、統計データ、或いは、その他のデータを提供し、このデータは、点数、チーム成績データ、選手の個人データなどを含む。選択ボタンの功能の表示は、ユーザーに、必要なデータを得やすくする。この他、情報ウィンドウ３３０の選択項目は、クリック、或いは、スクロールバーの方式で選択できる。
【００３８】
チャット領域３４０は、会員が文字メッセージによりコミュニケーションすることが出来る。会員は、表現したい文字を文字入力領域に入力し、入力終了後、エンターを押して文字を出力し、その後、全ての出力文字が、チャット領域３４０に表示される。メッセージウィンドウの内容は、スクロールバーにより内容をブラウザする。
【００３９】
広告ウィンドウ３５０は、内容提供者、或いは、製造者が、適当な広告をユーザーに提供することが出来るようにする。この野球チャンネルの例において、野球関連商品の広告を適切に提供することができる。更に具体的に言うと、これらの所在地に基づいて、特定のユーザーが好む関連商品の歴史等の収集データを放映する。
【００４０】
以下のインタラクティブツール(interactive
tools)により、その他のユーザーの所在地、歴史、嗜好、或いは、ユーザーの好む物のデータを獲得することが出来る。
【００４１】
選挙、或いは、投票区では、ホスト端、或いは、ユーザーが、選挙を行い、参加者に投票させることが出来、この投票は、アンケート調査表の手動、或いは、自動により生成する。投票開始時、システムメカニズムは、投票結果を、ホスト端だけに提供するか、結果を各個人に表示する。更に、この結果は随時更新され、投票期間に即時に表示されるか、選挙終了後、統計して、結果を表示する。
【００４２】
また、この投票モジュール２３５は、問答システムとすることができる。例えば、教育チャンネルで、ホスト端、或いは、講師は、一つの問題を提出し、各ユーザー、或いは、学生は、彼らの問題に答え、その答えは、多選択性、評論、記入方式で実行できる。ユーザーが選択した各答案の百分率、或いは、数量は、回答期間、或いは、ユーザーが回答終了後に発表される。必要であれば、正確な答えを選択した参加者のユーザー名称も発表する。
【００４３】
この他、個人は、これらの投票、或いは、回答の歴史を保留することが出来る。例えば、この講師は、一連の問題をテストにし、各ユーザーは、そのテスト結果を得ることが出来る。同様に、投票歴史、或いは、行為は記録され、将来、運用されたり、検討されたりする。
【００４４】
チャット領域は、ユーザーがチャットルーム、或いは、チャット領域を使用して、その他のオンライン上のユーザーと通信することが出来る。メッセージ領域は、ユーザーが直接、その他のユーザーと通信でき、その他のユーザーのこの通信を知られない。例えば、ユーザーAとユーザーBは互いに文字情報を伝送し、且つ、その他のユーザーは、それを知ることもないし、彼らの対話に特権を与えない。しかし、必要であれば、ホスト端は、メッセージを監視する能力を有する。注意すべきことは、チャット室、及び、メッセージ領域は、相同の領域、或いは、離れた領域である。
【００４５】
商業広告内容の生産者、或いは、提供者は、広告モジュール２６０を提供し、周期的、或いは、長期的に、その広告を放送する。この広告収入により、インタラクティブマルチメディア内容を生産するのに必要とする費用でまかなう。
【００４６】
この他、投票領域と広告領域は結合されて、ユーザーに、この広告商品に対し、投票を行ってもらうか、或いは、投票結果に基づいて、広告を選択してもらう。例えば、民意調査で、ユーザーの嗜好を調査し、ユーザーが運動に投票した場合、運動に関する広告を放映する。
【００４７】
チャンネル引導は、プログラム、或いは、チャンネルを表示するのに用いられ、ユーザーに、チャンネルを選択させたり、チャンネル情報、時間表を得させる。このチャンネル引導は、時間表と共に作業し、ユーザーが記録を手配したり、これからの事項を通知しやすくする。チャンネル引導は、マルチメディア形式、内容、区域、位置、興味、流行、日時により、チャンネルを分類、表示し、これにより、ユーザーは、快速に、彼らの興味がある区域、或いは、これからの事項が快速に探される。
【００４８】
ユーザーが現場や予約録画内容の再生回数と時間表を記録するのをサポートするために、更に、時間表を提供し、この時間表は、ユーザーが会議、或いは、事項を構築できるようにする。例えば、音楽会が決まった日時に放送される場合、ユーザーは、この情報を時間表中に入力し、ユーザーが放送時間に不在であっても、この音楽会は、記録される。
【００４９】
この他、時間表は、タイマー、或いは、警報器となり、会議が始まる時間に、時間表がユーザーに通知する。例えば、インターネット会議が決定日に行われる場合、時間表は、ユーザーに定期的に通知し、会議への参加を促す。時間表の歴史は、収集メカニズムに記録されて、分析される。
【００５０】
購買領域は、ユーザーが快速、且つ、容易にチャンネル上のマルチメディア内容、或いは、商品を購買することが出来る。例えば、ユーザーが映画を見る、或いは、音楽会の内容を見た後、その映画や音楽会の映像を買うことが出来る。同様に、あるチャンネル上の商品の展示、紹介、或いは、広告は、ユーザーが購買しやすくなる。必要であれば、個人、或いは、グループユーザーの購買歴史や行為を得ることができ、ユーザーは、この功能を有したり、有さなくてもよい。この功能が有利なのは、ユーザーは、同じ考えを持つユーザーの推薦を受信することが出来、それは、彼らの購買歴史、或いは、模式により推薦される。例えば、ユーザーAがあるアーティストBのジャズCDを購買した場合、その他のアーティストBのCDを購入したユーザーの購買歴史は、相似するアーティストCを、ユーザーAに推薦する。更に、これらの購買歴史は、記録、収集、分析され、適当な広告をユーザーに発送する。
【００５１】
図４は、本発明のインテリジェント型ダイナミックマーケティングデータ収集と広告伝送メカニズムのもう一つの応用を示す図である。本実施例中、ライブを本例に応用している。
【００５２】
図４を参照すると、インタラクティブマルチメディアインターフェース４００は、広告ウィンドウ４１０、第一マルチメディアウィンドウ４６０、コマンドバー４２０、第二マルチメディアウィンドウ４３０、情報ウィンドウ４４０、チャットルーム４５０、からなる。
【００５３】
本実施例中、第一マルチメディアウィンドウ４６０は、ライブを放送している。広告ウィンドウ４１０中、アーティストの最新画面、インタビュー、写真、或いは、その他の広告を表示する。第二マルチメディアウィンドウ４３０は、ホスト端、或いは、その他の会員画像を放映する。情報ウィンドウ４４０は、アーティストの相関データを放映する。チャットルーム４５０により、会員は、その他の会員、及び、ホスト端と文字情報を伝送しあったり、チャットしたり出来る。コマンドバー４２０は、各種異なるコマンドをと設定事項を提供して選択できる。
【００５４】
ここで、この内容中のコンサートに関する各種広告期間で、ユーザーは、再生、及び、購買が可能である。
【００５５】
図５は、本発明の詳細を示す図で、本発明のインタラクティブマルチメディアシステムメカニズムの実施例による図である。
【００５６】
本発明のインタラクティブマルチメディアシステムメカニズム５１０は、少なくとも一つのコアサーバ５２０、複数のストリーミングサーバ５４１、５４２、５４３、５４４、及び、少なくとも一つのエンコーダ５５１、５５２、からなる。コアサーバ５２０は、認証サーバ５２１、メインサーバ５２２、ウェブサーバ５２３、及び、データベース５２４、からなり、認証サーバ５２１は、ユーザーの真実性をチェックするのに用いられ、ユーザーは、認証サーバ５２１により、認証をパスした後、ストリーミングサーバを連接することが出来る。メインサーバ５２２は、ユーザーが最も適合するストリーミングサーバに導引し、メインサーバ５２２が保存するポリシーにより、ユーザーをどのストリーミングサーバに至るかを決定する。ポリシーが考慮する要素は、IP範囲、ユーザーデータ、アカウントデータ、会社名、チャンネル等で、例えば、ポリシーは、IPにより、ユーザーの位置を確定し、これにより、ユーザー附近のストリーミングサーバを選定することができる。
【００５７】
ウェブサーバ５２３は、プログラムデータを提供し、ユーザーがチャンネルやプログラムを選択できるようにし、プログラムデータは、プログラムタイトル、提供者、時間、日時、流行、或いは、その他の情報である。データベース５２４は、各種データ、例えば、ユーザーデータ、アカウントデータ、ポリシー、ウェブデータ等を保存する。コアサーバ５２０は、一つ、或いは、複数のサーバを有し、例えば、認証サーバ５２１、メインサーバ５２２、ウェブサーバ５２３、データベース５２４からなり、それぞれ、サーバにより実現し、或いは、各サーバは、単独のサーバ、或いは、複数のサーバの結合である。
【００５８】
ファイヤーウォール５３０は、コアサーバ５２０とストリーミングサーバ５４１、５４２、５４３、５４４を隔て、コアサーバ５２０を保護すると共に、ハッカーの攻撃の可能性を低下させる。
【００５９】
ストリーミングサーバは、複数のストリーミングサーバ５４１、５４２、５４３、５４４からなり、マルチメディアストリーミングを、ユーザー５６１、５６２、５６３、５６４の間に伝送し、ストリーミングサーバを増加させることにより、ユーザーの需要を満たす。これにより、インターネット負荷が、ストリーミングサーバ間で平均分配されて、平衡になり、多数のストリーミングサーバを使用し、高い利用性を有する。どのストリーミングサーバ５４１、５４２、５４３、５４４が、サービスを提供しているか、或いは、オンラインで使用できるかを確認するために、メインサーバ５２２は、周期的に、各ストリーミングサーバ５４１、５４２、５４３、５４４に対し、心拍信号（heart beat signal）を伝送し、心拍信号は、トランスミッション コントロール
プロトコル（TCP）パッケージを使用して、ストリーミングサーバ５４１、５４２、５４３、５４４と連通し、この方式により、メインサーバ５２２が、サービスを提供できるストリーミングサーバの一覧表を得て、これにより、ストリーミングサーバが故障、或いは、サーバのオフラインで、メンテナンスを実施し、メインサーバ５２２は、確定したポリシーに基づいて、ユーザーをその他の使用できるストリーミングサーバに導引する。
【００６０】
一つ、或いは、複数のエンコーダ５５１、５５２は、マルチメディア内容をコード化し、それらは、即時に、マルチメディアをストリーミングすると共に、各種のビットレートと解像度を提供し、インターネット能力、或いは、環境により、チャンネルが、低いダイアルアップ５６kbps、或いは、高いブロードバンド速度、例えば、１．５Mbpsに用いられて、良好な伝送品質を提供する。同様に、解像度も選択でき、例えば、解像度は、１６０×１２０、１７６×１４４、３２０×２４０、３５２×２８８、６４０×８４０、或いは、更に高く調整される。また、フレームレート（Frame  rate）は、使用可能なブロードバンドにより調整し、フレームレートが速ければ、更に多くのブロードバンドが必要である。例えば、フレームレートは、最低、毎秒1個のフレームから、毎秒３０個のフレームに調整され、エンコーダ５５１、５５２は、最適な圧縮エンコーダ／デコーダを利用して、即時、或いは、即時に近いマルチメディアストリーミングを生成して、バッファが不要であり、これにより、ユーザー、或いは、放送局が、即時、或いは、即時に近い時、マルチメディア内容中で、インタラクティブ功能を性成する。
【００６１】
トランスミッション コントロール プロトコル（TCP）は、コアサーバ５２０とストリーミングサーバ５４０を連結するのに用いられ、トランスミッション コントロール プロトコル（TCP）保証データを伝送し、且つ、パッケージを保証して、相同の順序で伝送、受信される。ユーザデータグラムプロトコル（UDP）、或いは、トランスミッション
コントロール プロトコル（TCP）は、エンコーダ５５１、５５２、ストリーミングサーバ５４１、５４２、５４３、５４４、及び、ユーザー間が、IPネット上で、直接、データパッケージを伝送できるようにする。マルチキャスト（Multicasting）は、内容を、選択される群、或いは、複数のユーザーに伝送し、例えば、ストリーミングサーバ５４３は、複数のサーバ５４３、５４４を有して、マルチバスにより、ユーザー５６３、５６４に伝送する。
【００６２】
このインテリジェント型ダイナミックマーケティングデータ収集と広告伝送メカニズムの応用範例は、以下で説明する。マルチメディア生産者は、マルチメディア内容を準備し、マルチメディア内容は、予め記録したもの、或いは、現場即時のもので、マルチメディア提供者は、マルチメディア内容が必要なメカニズム機構を構築、或いは、組み合わせ、マルチメディア生産者とマルチメディア提供者は、相同か、不相同の実体であり、マルチメディア提供者も、マルチメディア内容に関するチャンネルデータを準備して、ユーザーのプログラム制作やチャンネル選択を助ける。
【００６３】
メカニズムが、一旦、構築されると、ユーザーは、獲得したサービスを登録、或いは、サインし、且つ、ユーザーと個人データは、データベース内に保存され、ユーザーとマルチメディア提供者が連結し、認証データを入力した後、彼らの真実性が認められた場合、ユーザーは、プログラム情報やプログラム導引を取得して、チャンネルを選択することが出来、ユーザーが既に、チャンネルを選択していた場合、適合するストリーミングサーバも選択さて、マルチメディア内容を、ユーザーにストリーミングし始める。マルチメディア内容は、ストリーミングの方式で、即時、或いは、ほぼ即時で伝送されるので、ユーザーは、マルチメディア内容とインタラクティブ性を有し、多くの方式で、この種のインタラクティブ作用を実行する。例えば、ユーザーがインターネットで連結されている場合、ユーザーは、コンピュータインターフェースのチャット画面から、文字を入力し、各種チャンネル提供者、ポリシー、或いは、生産者データにより、文字は、自動的に出現、或いは、選択的に、複数の画面に出現し、その他のユーザーは、伝送者の意見を見ることができ、この方式は、チャンネル上で、全部のユーザーが、互いに、情報を交換したり、生産者と即時に通信ができたりするので、内容生産者は、ユーザーの討論によって、プログラムを変更し、それらのマルチメディア内容が映画である時、ユーザーは、映画を放送すると同時に、意見を述べたり、或いは、映画のある方面の内容を討論したりできる。もう一つの実施例中、内容が教育プログラムである場合、特別な学科上で、ユーザーは、学生となって、問答方式で、教育課程に参加することが出来る。
【００６４】
文字以外に、本発明は、マイクロフォンやインターネットカメラを有するユーザーが、ビデオやオーディオ信号を伝送することが出来、この方式により、ユーザーは、部分内容の生産者となる。ユーザーは、セットトップボックスを装着したテレビにより、相似した効果を得ることができ、或いは、ユーザーは、３G電話等の移動電話により、インタラクティブ作用を生成し、ユーザーが配備する功能により決定し、インタラクティブ作用は、ショートメッセージサービス（SMS）情報、マルチメディアサービス（MMS）、静態写真、画像と音声を含み、この他、ユーザーは、公知の電話により、マルチメディア内容の音声部分を聴いて、インタラクティブ作用を生成することが出来る。
【００６５】
マルチメディア会議期間、各種異なるデータも保存でき、例えば、使用者の歴史、投票歴史、観察歴史、プログラムスケジューリング歴史、購買歴史、現在のウェブ、ウェブブラウザ歴史、現行プログラムの識別、ユーザーの個人データ、或いは、これらの結合等、全て保存、収集、分析できる。分析後、本発明のシステムメカニズムは、異なるデータに基づいて、適合する広告をユーザーに提供する。このデータじゃ、自動的、動的、或いは、周期的に、収集、分析、及び、伝送できる。
【００６６】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００６７】
【図１】本発明のインテリジェント型ダイナミックマーケティングデータ収集と広告伝送メカニズムの実施例によるフローチャートである。
【図２】本発明のインテリジェント型ダイナミックマーケティングデータ収集と広告伝送メカニズムのもう一つの実施例によるフローチャートである。
【図３】本発明のインテリジェント型ダイナミックマーケティングデータ収集と広告伝送メカニズムを、インタラクティブマルチメディアインターフェースに応用したことを示した説明図である。
【図４】本発明のインテリジェント型ダイナミックマーケティングデータ収集と広告伝送メカニズムのもう一つの応用を示す図である。
【図５】本発明のインタラクティブマルチメディアの実施例を示した説明図である。
【符号の説明】
【００６８】
１００…メカニズム
２００…メカニズム
３００…インタラクティブマルチメディアインターフェース
３１０…マルチメディアウィンドウ
３２０…コマンドバー
３３０…情報ウィンドウ
３４０…チャット領域
３５０…広告ウィンドウ
４００…インタラクティブマルチメディアインターフェース    
４２０…コマンドバー
４３０…第二マルチメディアウィンドウ
４４０…情報ウィンドウ
４５０…チャットルーム
４６０…マルチメディアウィンドウ
５２０…コアサーバ
５２１…認証サーバ
５２２…メインサーバ
５２３…ウェブサーバ
５２４…データベース
５３０…ファイヤーウォール
５４０…ストリーミングサーバ
５４１…ストリーミングサーバ
５４２…ストリーミングサーバ
５４３…ストリーミングサーバ
５４４…ストリーミングサーバ
５６１…ユーザー
５６２…ユーザー
５６３…ユーザー
５６４…ユーザー
５５１…エンコーダ
５５２…エンコーダ
【図１】
2006313520.tif 000003
【図２】
2006313520.tif 000004
【図３】
2006313520.tif 000005
【図４】
2006313520.tif 000006
【図５】
2006313520.tif 000007